(57)【要約】【課題】透明部材保持枠を施錠する手段と、遊技盤を固定する手段とを単一のベース部材を介して前面枠に取り付けることができる遊技機を提供する。【解決手段】施錠ユニット３６は、施錠ベース８０と、施錠ベース８０に装着され、透明部材保持枠の開放を規制する保持枠係合状態と、透明部材保持枠の開放を許容する保持枠係合解除状態とに変換可能な保持枠係合部材９２と、鍵穴に鍵部材８２を挿入して出力部を回動操作可能となる解除操作部８３と、出力部と保持枠係合部材９２とに係合し、出力部の回動力を受けて上下一方向へ移動することで保持枠係合部材９２を保持枠係合解除状態に変換する連動部材８４と、を備え、施錠ベース８０には装着部１３６を設け、該遊技盤固定部材４６を、遊技盤を押圧して遊技盤収納部内に固定する盤固定状態と、遊技盤から外れて盤固定状態を解除する盤固定解除状態とに変換可能なように装着部１３６に装着した。【選択図】図６
2011234852.tif 000002
【特許請求の範囲】
【請求項１】
機枠の前面側に開閉可能に取り付けられ、表面に遊技領域が形成される遊技盤を前面側から収納可能な遊技盤収納部が形成された前面枠と、
該前面枠の前面側に開閉可能な状態、且つ前記遊技盤収納部を前方から被覆可能な状態で取り付けられ、前記遊技領域を前方から視認可能とする透明部材が保持された透明部材保持枠と、
該透明部材保持枠を前記前面枠に対して閉じた閉成状態に維持可能な施錠ユニットと、
前記遊技盤収納部内に収納された前記遊技盤を固定するための遊技盤固定部材と、を備えた遊技機において、
前記施錠ユニットは、
前記前面枠のうち前記遊技盤収納部の側方に位置する箇所に配置された施錠ベースと、
該施錠ベースに装着され、前記閉成状態の前記透明部材保持枠に係合して前記透明部材保持枠の開放を規制する保持枠係合状態と、前記保持枠係合状態を解除して前記透明部材保持枠の開放を許容する保持枠係合解除状態とに変換可能な保持枠係合部材と、
前記前面枠の外方に露出する鍵穴を開設し、該鍵穴に鍵部材を挿入して出力部を回動操作可能となる解除操作部と、
前記出力部と前記保持枠係合部材とに係合し、前記出力部の回動力を受けて上下一方向へ移動することで前記保持枠係合部材を前記保持枠係合解除状態に変換する連動部材と、を備え、
前記施錠ベースには、前記遊技盤固定部材を装着するための装着部を設け、
前記遊技盤固定部材は、前記遊技盤を前面側から後方へ押圧して前記遊技盤収納部内に固定する盤固定状態と、前記遊技盤から外れて前記盤固定状態を解除する盤固定解除状態とに変換可能なように前記装着部に装着されることを特徴とする遊技機。
【請求項２】
前記施錠ユニットは、
前記連動部材が移動する移動力を受けて可動し、前記遊技盤固定部材の一部と係合可能な連動係合部材を備え、
前記連動係合部材と前記遊技盤固定部材とを係合した状態において前記出力部を回動して前記連動部材を上下一方向へ移動させると、前記連動係合部材が可動して前記遊技盤固定部材を前記盤固定解除状態に変換することを特徴とする請求項１に記載の遊技機。
【請求項３】
前記出力部は、前記鍵部材を前記鍵穴に対して挿脱可能な状態においては回動開始姿勢に設定され、該回動開始姿勢から保持枠解除方向の最大回動角度まで回動すると盤解除姿勢に変換するように設定され、前記回動開始姿勢から最大回動角度まで回動する途中では保持枠解除姿勢に変換するように設定され、
前記出力部を前記保持枠解除姿勢に変換すると、前記出力部の回動力を受けた前記連動部材が前記保持枠係合部材を前記保持枠係合解除状態に変換し、
前記出力部を前記保持枠解除姿勢から前記盤解除姿勢に変換すると、前記連動部材の移動力を受けた前記連動係合部材が前記遊技盤固定部材に係合して当該遊技盤固定部材を前記盤固定解除状態に変換することを特徴とする請求項２に記載の遊技機。
【請求項４】
前記施錠ベースには、前記遊技盤固定部材が複数装着され、
前記連動係合部材は、前記複数の遊技盤固定部材にそれぞれ対応するように複数設けられ、
前記出力部は、前記保持枠解除姿勢から前記最大回動角度に回動するまで複数段階の盤解除姿勢に変換するように設定され、
前記出力部を一の段階の前記盤解除姿勢に変換すると、前記連動部材の上下一方向への移動力を受けた一の前記連動係合部材が、対応する前記遊技盤固定部材に係合して当該遊技盤固定部材を前記盤固定解除状態に変換することを特徴とする請求項３に記載の遊技機。
【請求項５】
前記施錠ユニットは、
前記施錠ベースに装着され、前記機枠に対して前記前面枠を閉じた状態で前記機枠に係合して前記前面枠の開放を規制する機枠係合状態と、前記機枠係合状態を解除して前記前面枠の開放を許容する機枠係合解除状態とに変換可能な機枠係合部材を備え、
該機枠係合部材を前記連動部材へ接続して前記機枠係合部材と前記連動部材とを連動可能とし、
前記連動部材には連動操作部を設け、該連動操作部を操作すると、前記連動部材が上下他方向へ移動して前記機枠係合部材を前記機枠係合解除状態に変換することを特徴とする請求項４に記載の遊技機。
【請求項６】
前記連動操作部は、前記透明部材保持枠を閉成すると、該透明部材保持枠に被覆されて操作不能となり、前記透明部材保持枠を開放すると、前記前面枠の外方に露出して操作可能となることを特徴とする請求項５に記載の遊技機。
【請求項７】
前記連動係合部材は、前記出力部が前記回動開始姿勢に設定されて前記連動部材が前記出力部の回動力を受けていない状態においては、前記盤固定解除状態に変換されている前記遊技盤固定部材から離間して、該遊技盤固定部材の前記盤固定状態への変換を許容することを特徴とする請求項６に記載の遊技機。
【発明の詳細な説明】
【技術分野】
【０００１】
本発明は、遊技盤を収納可能な遊技盤収納部が形成された前面枠と、該前面枠の前面側に開閉可能な状態で取り付けられた透明部材保持枠と、該透明部材保持枠を前面枠に対して閉じた閉成状態に維持可能な施錠ユニットと、遊技盤を固定するための遊技盤固定部材と、を備えたパチンコ遊技機等の遊技機に関する。
【背景技術】
【０００２】
従来の遊技機、例えば、パチンコ遊技機においては、矩形状の機枠（外枠）の前面に遊技盤を収納可能な遊技盤収納部を形成した前面枠（内枠）を開閉可能に軸着し、該前面枠の前面に遊技盤の表面に形成される遊技領域を透視可能なガラス板等の透明部材を保持させたガラス枠（透明部材保持枠）を開閉可能に軸着している。そして、前面枠には係合部が備えられた施錠ユニットを設ける一方、機枠およびガラス枠には、施錠ユニットの係合部が係合する係合受部を設けて、前面枠を機枠に対して閉成した閉成状態で維持可能とするとともに、ガラス枠を前面枠に対して閉成した閉成状態で維持可能としている。
【０００３】
また、前面枠に形成された遊技盤収納部には、内部に収納された遊技盤に対して収納方向とは反対方向から当接する当接状態と、遊技盤への当接状態が解除される非当接状態に変換可能な遊技盤固定手段を配設し、遊技盤収納部内に遊技盤を収納した状態で遊技盤固定手段を非当接状態から当接状態に変換して、遊技盤収納部内で遊技盤を固定する旨が提案されている（例えば、特許文献１参照）。
【先行技術文献】
【特許文献】
【０００４】
【特許文献１】特開２００５−１９２５８９号公報
【発明の概要】
【発明が解決しようとする課題】
【０００５】
ところで、上記特許文献１に開示されたような遊技機においては、施錠ユニットと遊技盤固定手段とが近接する位置に配設されているにも拘らず、それぞれが独立したベース部材を介して前面枠に取り付けられている。このため、遊技機の構成部品点数が増大してしまいコストパフォーマンスが悪い。
【０００６】
そこで、本発明は、上記の事情に鑑みてなされたものであり、その目的は、透明部材保持枠を閉成状態で施錠する手段と、遊技盤を固定する手段とを単一のベース部材を介して前面枠に取り付けることができ、構成部品点数の削減および製造コストの低減を図ることができる遊技機を提供しようとするものである。
【課題を解決するための手段】
【０００７】
本発明は、上記目的を達成するために提案されたものであり、請求項１に記載のものは、機枠の前面側に開閉可能に取り付けられ、表面に遊技領域が形成される遊技盤を前面側から収納可能な遊技盤収納部が形成された前面枠と、
該前面枠の前面側に開閉可能な状態、且つ前記遊技盤収納部を前方から被覆可能な状態で取り付けられ、前記遊技領域を前方から視認可能とする透明部材が保持された透明部材保持枠と、
該透明部材保持枠を前記前面枠に対して閉じた閉成状態に維持可能な施錠ユニットと、
前記遊技盤収納部内に収納された前記遊技盤を固定するための遊技盤固定部材と、を備えた遊技機において、
前記施錠ユニットは、
前記前面枠のうち前記遊技盤収納部の側方に位置する箇所に配置された施錠ベースと、
該施錠ベースに装着され、前記閉成状態の前記透明部材保持枠に係合して前記透明部材保持枠の開放を規制する保持枠係合状態と、前記保持枠係合状態を解除して前記透明部材保持枠の開放を許容する保持枠係合解除状態とに変換可能な保持枠係合部材と、
前記前面枠の外方に露出する鍵穴を開設し、該鍵穴に鍵部材を挿入して出力部を回動操作可能となる解除操作部と、
前記出力部と前記保持枠係合部材とに係合し、前記出力部の回動力を受けて上下一方向へ移動することで前記保持枠係合部材を前記保持枠係合解除状態に変換する連動部材と、を備え、
前記施錠ベースには、前記遊技盤固定部材を装着するための装着部を設け、
前記遊技盤固定部材は、前記遊技盤を前面側から後方へ押圧して前記遊技盤収納部内に固定する盤固定状態と、前記遊技盤から外れて前記盤固定状態を解除する盤固定解除状態とに変換可能なように前記装着部に装着されることを特徴とする遊技機である。
【０００８】
請求項２に記載のものは、前記施錠ユニットは、前記連動部材が移動する移動力を受けて可動し、前記遊技盤固定部材の一部と係合可能な連動係合部材を備え、
前記連動係合部材と前記遊技盤固定部材とを係合した状態において前記出力部を回動して前記連動部材を上下一方向へ移動させると、前記連動係合部材が可動して前記遊技盤固定部材を前記盤固定解除状態に変換することを特徴とする請求項１に記載の遊技機である。
【０００９】
請求項３に記載のものは、前記出力部は、前記鍵部材を前記鍵穴に対して挿脱可能な状態においては回動開始姿勢に設定され、該回動開始姿勢から保持枠解除方向の最大回動角度まで回動すると盤解除姿勢に変換するように設定され、前記回動開始姿勢から最大回動角度まで回動する途中では保持枠解除姿勢に変換するように設定され、
前記出力部を前記保持枠解除姿勢に変換すると、前記出力部の回動力を受けた前記連動部材が前記保持枠係合部材を前記保持枠係合解除状態に変換し、
前記出力部を前記保持枠解除姿勢から前記盤解除姿勢に変換すると、前記連動部材の移動力を受けた前記連動係合部材が前記遊技盤固定部材に係合して当該遊技盤固定部材を前記盤固定解除状態に変換することを特徴とする請求項２に記載の遊技機である。
【００１０】
請求項４に記載のものは、前記施錠ベースには、前記遊技盤固定部材が複数装着され、
前記連動係合部材は、前記複数の遊技盤固定部材にそれぞれ対応するように複数設けられ、
前記出力部は、前記保持枠解除姿勢から前記最大回動角度に回動するまで複数段階の盤解除姿勢に変換するように設定され、
前記出力部を一の段階の前記盤解除姿勢に変換すると、前記連動部材の上下一方向への移動力を受けた一の前記連動係合部材が、対応する前記遊技盤固定部材に係合して当該遊技盤固定部材を前記盤固定解除状態に変換することを特徴とする請求項３に記載の遊技機である。
【００１１】
請求項５に記載のものは、前記施錠ユニットは、
前記施錠ベースに装着され、前記機枠に対して前記前面枠を閉じた状態で前記機枠に係合して前記前面枠の開放を規制する機枠係合状態と、前記機枠係合状態を解除して前記前面枠の開放を許容する機枠係合解除状態とに変換可能な機枠係合部材を備え、
該機枠係合部材を前記連動部材へ接続して前記機枠係合部材と前記連動部材とを連動可能とし、
前記連動部材には連動操作部を設け、該連動操作部を操作すると、前記連動部材が上下他方向へ移動して前記機枠係合部材を前記機枠係合解除状態に変換することを特徴とする請求項４に記載の遊技機である。
【００１２】
請求項６に記載のものは、前記連動操作部は、前記透明部材保持枠を閉成すると、該透明部材保持枠に被覆されて操作不能となり、前記透明部材保持枠を開放すると、前記前面枠の外方に露出して操作可能となることを特徴とする請求項５に記載の遊技機である。
【００１３】
請求項７に記載のものは、前記連動係合部材は、前記出力部が前記回動開始姿勢に設定されて前記連動部材が前記出力部の回動力を受けていない状態においては、前記盤固定解除状態に変換されている前記遊技盤固定部材から離間して、該遊技盤固定部材の前記盤固定状態への変換を許容することを特徴とする請求項６に記載の遊技機である。
【発明の効果】
【００１４】
本発明によれば、以下のような優れた効果を奏する。
請求項１に記載の発明によれば、施錠ユニットは、前面枠のうち遊技盤収納部の側方に位置する箇所に配置された施錠ベースと、該施錠ベースに装着され、閉成状態の透明部材保持枠に係合して透明部材保持枠の開放を規制する保持枠係合状態と、保持枠係合状態を解除して透明部材保持枠の開放を許容する保持枠係合解除状態とに変換可能な保持枠係合部材と、前面枠の外方に露出する鍵穴を開設し、該鍵穴に鍵部材を挿入して出力部を回動操作可能となる解除操作部と、出力部と保持枠係合部材とに係合し、出力部の回動力を受けて上下一方向へ移動することで保持枠係合部材を保持枠係合解除状態に変換する連動部材と、を備え、施錠ベースには遊技盤固定部材を装着するための装着部を設け、遊技盤固定部材は、遊技盤を前面側から後方へ押圧して遊技盤収納部内に固定する盤固定状態と、遊技盤から外れて盤固定状態を解除する盤固定解除状態とに変換可能なように装着部に装着されるので、透明部材保持枠を閉成状態で施錠する手段と、遊技盤を固定する手段とを単一のベース部材を介して前面枠に取り付けることができる。したがって、遊技機の部品点数の削減、ひいては遊技機の製造コストの低減を図ることができる。
【００１５】
請求項２に記載の発明によれば、施錠ユニットは、連動部材が移動する移動力を受けて可動し、遊技盤固定部材の一部と係合可能な連動係合部材を備え、連動係合部材と遊技盤固定部材とを係合した状態において出力部を回動して連動部材を上下一方向へ移動させると、連動係合部材が可動して遊技盤固定部材を盤固定解除状態に変換するので、解除操作部を操作するだけで、透明部材保持枠の開放準備と遊技盤の固定解除とを実行することができる。したがって、遊技盤の交換作業時における遊技盤の取り外し準備を簡単に行うことができる。
【００１６】
請求項３に記載の発明によれば、出力部は、鍵部材を鍵穴に対して挿脱可能な状態においては回動開始姿勢に設定され、該回動開始姿勢から保持枠解除方向の最大回動角度まで回動すると盤解除姿勢に変換するように設定され、回動開始姿勢から最大回動角度まで回動する途中では保持枠解除姿勢に変換するように設定され、出力部を保持枠解除姿勢に変換すると、出力部の回動力を受けた連動部材が保持枠操作位置に移動して保持枠係合部材を保持枠係合解除状態に変換し、出力部を保持枠解除姿勢から盤解除姿勢に変換すると、連動部材の移動力を受けた連動係合部材が遊技盤固定部材に係合して当該遊技盤固定部材を盤固定解除状態に変換するので、出力部が保持枠係合部材と遊技盤固定部材とから同時に抵抗力を受けることを避けることができ、解除操作部を円滑に操作することができる。また、解除操作部を操作して出力部を保持枠解除姿勢にのみ変換すれば、遊技盤の固定を解除せずに透明部材保持枠を解錠することができ、透明部材保持枠の開放準備のみを選択して実行することができる。
【００１７】
請求項４に記載の発明によれば、施錠ベースには、遊技盤固定部材が複数装着され、連動係合部材は、複数の遊技盤固定部材にそれぞれ対応するように複数設けられ、出力部は、保持枠解除姿勢から最大回動角度に回動するまで複数段階の盤解除姿勢に変換するように設定され、出力部を一の段階の盤解除姿勢に変換すると、連動部材の上下一方向への移動力を受けた一の連動係合部材が対応する遊技盤固定部材に係合して当該遊技盤固定部材を盤固定解除状態に変換するので、出力部が保持枠係合部材と複数の遊技盤固定部材とから同時に抵抗力を受けることを避けることができる。したがって、遊技盤固定部材を複数備えていたとしても、解除操作部を支障なく操作することができる。
【００１８】
請求項５に記載の発明によれば、施錠ユニットは、施錠ベースに装着され、機枠に対して前面枠を閉じた状態で機枠に係合して前面枠の開放を規制する機枠係合状態と、機枠係合状態を解除して前面枠の開放を許容する機枠係合解除状態とに変換可能な機枠係合部材を備え、該機枠係合部材を連動部材へ接続して機枠係合部材と連動部材とを連動可能とし、連動部材には連動操作部を設け、該連動操作部を操作すると、連動部材が上下他方向へ移動して機枠係合部材を機枠係合解除状態に変換するので、解除操作部とは別個に連動操作部を操作して前面枠を機枠に対して容易に開放することができる。
【００１９】
請求項６に記載の発明によれば、連動操作部は、透明部材保持枠を閉成すると、該透明部材保持枠に被覆されて操作不能となり、透明部材保持枠を開放すると、前面枠の外方に露出して操作可能となるので、透明部材保持枠を閉成しておけば、連動操作部が不用意に操作される不都合を阻止することができる。したがって、不正行為者が前面枠を不正に開放操作することを未然に防ぐことができる。
【００２０】
請求項７に記載の発明によれば、連動係合部材は、前記出力部が前記回動開始姿勢に設定されて前記連動部材が前記出力部の回動力を受けていない状態においては、前記盤固定解除状態に変換されている遊技盤固定部材から離間して、該遊技盤固定部材の盤固定状態への変換を許容するので、連動係合部材が遊技盤固定部材の盤固定状態への変換を阻止する不都合、ひいては遊技盤収納部内に固定された遊技盤の固定作業を阻止する不都合をなくすことができる。
【図面の簡単な説明】
【００２１】
【図１】パチンコ遊技機の斜視図である。
【図２】機枠の斜視図である。
【図３】前面枠本体の斜視図である。
【図４】遊技盤の正面図である。
【図５】透明部材保持枠の保持枠本体を背面側から見た斜視図である。
【図６】施錠ユニットの説明図であり、（ａ）は右側方から見た斜視図、（ｂ）は左側方から見た斜視図である。
【図７】施錠ユニットの分解斜視図である。
【図８】第１係合ユニットの斜視図であり、（ａ）は後方から見た斜視図、（ｂ）は前方から見た斜視図である。
【図９】第２係合ユニットおよび第３係合ユニットを後方から見た斜視図である。
【図１０】第４係合ユニットを後方から見た斜視図である。
【図１１】解除操作部の分解斜視図であり、（ａ）は前方から見た分解斜視図、（ｂ）は後方から見た分解斜視図である。
【図１２】出力部の説明図であり、（ａ）は回動開始姿勢の説明図、（ｂ）は機枠解除姿勢の説明図、（ｃ）は保持枠解除姿勢の説明図である。
【図１３】連動部材の説明図であり、（ａ）は連動部材の上部の部分斜視図、（ｂ）は連動部材の下部の部分斜視図、（ｃ）は連動部材の上部における機枠係合連結ピンおよび保持枠係合連結ピンの連結状態を示す説明図である。
【図１４】遊技盤固定部材の軸着状態の説明図である。
【図１５】遊技盤固定部材を軸着する構成要素の分解斜視図である。
【図１６】遊技盤固定部材の説明図であり、（ａ）は前方から見た斜視図、（ｂ）は後方から見た斜視図である。
【図１７】遊技盤固定部材およびその周辺の状態説明図であり、（ａ）は盤固定状態の正面図、（ｂ）は盤固定解除状態の正面図である。
【図１８】盤固定状態における遊技盤固定部材およびその周辺の断面図である。
【図１９】（ａ）は保持枠係合爪が保持枠係合受部に係合した状態を示す概略図、（ｂ）は保持枠係合爪が保持枠係合受部から外れた状態を示す概略図である。
【図２０】（ａ）は機枠係合爪が機枠係合受部に係合した状態を示す概略図、（ｂ）は機枠係合爪が機枠係合受部から外れた状態を示す概略図である。
【図２１】連動操作部の作用を説明する概略図である。
【図２２】遊技盤固定部材が遊技盤から外れた状態を示す説明図である。
【図２３】第２実施形態における出力部の説明図であり、（ａ）は保持枠解除姿勢の説明図、（ｂ）は盤解除姿勢の説明図である。
【図２４】第２実施形態におけるリンクアームの説明図である。
【図２５】第２実施形態におけるリンクアームおよび遊技盤固定部材の説明図であり、（ａ）は連動部材を保持枠操作位置に移動した状態の説明図、（ｂ）は連動部材を保持枠操作位置から盤操作位置に移動する途中の状態の説明図である。
【図２６】第２実施形態において連動部材が盤操作位置に移動したときのリンクアームおよび遊技盤固定部材の説明図であり、（ａ）は斜視図、（ｂ）はアーム係合突起の作用の説明図である。
【図２７】第３実施形態における出力部の説明図である。
【図２８】第３実施形態において連動部材が連動開始位置に位置するときのリンクアームおよび遊技盤固定部材の説明図である。
【図２９】第３実施形態において連動部材を保持枠操作位置から第１盤操作位置に移動する途中のリンクアームおよび遊技盤固定部材の説明図である。
【図３０】第３実施形態において連動部材を第１盤操作位置から第２盤操作位置に移動する途中のリンクアームおよび遊技盤固定部材の説明図である。
【図３１】第３実施形態において連動部材を第２盤操作位置に移動したときのリンクアームおよび遊技盤固定部材の説明図である。
【発明を実施するための形態】
【００２２】
以下、代表的な遊技機であるパチンコ遊技機を例に挙げて本発明の実施の形態を図面に基づき説明する。
パチンコ遊技機１は、図１に示すように、矩形状の機枠（外枠）２の前面側に前面枠（内枠）３を開閉可能な状態で軸着し、該前面枠３のベースとなる前面枠本体４の表面側には、円形状の遊技領域５が区画形成された遊技盤６（図４参照）を着脱可能としている。また、前面枠本体４の前面の一側（図１中、左側）には透明部材保持枠９を開閉可能な状態で軸着し、該透明部材保持枠９の上寄りの位置には透視可能な透明部材１０を保持し、透明部材保持枠９の下部には、遊技球を貯留可能な上皿ユニット１１を備えている。そして、透明部材保持枠９を閉じて前面枠本体４の表側に透明部材保持枠９を重合すると、遊技盤６の前面が透明部材保持枠９により被覆されるとともに、透明部材１０が遊技領域５の前方に配置され、透明部材１０を通して遊技領域５を前方から視認できるように構成されている。また、前面枠本体４のうち透明部材保持枠９の下方には、上皿ユニット１１をオーバーフローした遊技球が排出される下皿ユニット１２を備え、該下皿ユニット１２の左側にスピーカー１４を備え、下皿ユニット１２の右側には、発射装置１５（図３参照）を操作するための発射操作ユニット（発射操作ハンドル）１６を備えている。なお、上皿ユニット１１の上部には、遊技者が遊技中に操作可能な遊技演出用ボタン１７を備えている。
【００２３】
機枠２は、図２に示すように、上横框２０、下横框２１、左縦框２２、右縦框２３を縦長矩形枠状に接合して形成された前後開口枠体であり、当該機枠２の前面側の下部には横長な幕板２４を前方から接合すると共に該幕板２４の前面に幕板飾り部材２５を固定している。また、左縦框２２の上下両端部の前側に機枠軸着部（ヒンジ）２６を設け、該機枠軸着部２６により前面枠３を機枠２に対して開閉可能な状態で軸着している。さらに、右縦框２３の内側面（機枠２の中央側に向いた側面）の上下両側には舌片状の機枠係合受部２８を機枠２の中央側へ向けて突設している。
【００２４】
前面枠本体４は、図３に示すように、大きな矩形状の開口を上寄りに開設した合成樹脂製枠体であり、開口の縁には額縁状の遊技盤収納部３０を備え、該遊技盤収納部３０内に遊技盤６を前面枠本体４の前面側から着脱可能な状態で収納している。また、遊技盤収納部３０の下方には横長なフレームボード部３１を備え、該フレームボード部３１の上端には横長な遊技盤載置部３２を設けて遊技盤６の下縁部の後側部分を載置可能とし、フレームボード部３１の前面には、遊技盤６よりも下方の位置から遊技球を遊技領域５へ向けて発射可能な発射装置１５を備えている。そして、前面枠本体４のうち左縦框２２側の縁部（図３中、左側縁部）の上下両側には、機枠２（詳しくは機枠軸着部２６）と軸着する機枠軸着受部３３と、透明部材保持枠９を軸着する保持枠軸着受部３４とを備え、前面枠本体４のうち右縦框２３側の縁部（図３中、右側縁部）には縦長な施錠ユニット３６を備え、該施錠ユニット３６により透明部材保持枠９を前面枠３に対して閉じた閉成状態に維持可能、または前面枠３を機枠２に対して閉じた閉成状態に維持可能としている。なお、施錠ユニット３６については、後で詳細に説明する。
【００２５】
遊技盤収納部３０は、機枠軸着受部３３側（図３中、左側）に軸着側壁部４０を備えるとともに、施錠ユニット３６側（図３中、右側）に施錠側壁部４１を備えている。さらに、軸着側壁部４０の上端部と施錠側壁部４１の上端部とを接続する状態で上側壁部４２を備え、各側壁部４０，４１，４２の後縁（すなわち遊技盤収納部３０の後部）から内側に向かって背面壁部４３を形成し、該背面壁部４３に遊技盤６の裏面側を当接できるように構成されている。そして、軸着側壁部４０には、遊技盤６の一側部（図２中、左側部）を前方から係合可能な盤係合片４４を上下２箇所に設け、施錠側壁部４１の上下両側には、遊技盤６の他側部（図３中、右側部）を前方から押圧可能な複数の遊技盤固定部材４６を臨ませ、遊技盤収納部３０内に収納された遊技盤６を遊技盤固定部材４６により固定可能としている。なお、遊技盤固定部材４６については、後で詳細に説明する。
【００２６】
遊技盤６は、図４に示すように、合板やプラスチック等で形成された矩形状の遊技盤本体５０を備え、該遊技盤本体５０の下縁部を遊技盤載置部３２へ載置可能とし、該遊技盤本体５０の表面には複数のサイドケース（区画部材）５１を止着して遊技領域５を区画形成している。サイドケース５１により区画形成された遊技領域５内の略中央には包囲枠体（センターケース）５２を備え、該包囲枠体５２の後方には表示部５３ａが設けられた変動表示装置５３を備えている。さらに、遊技領域５のうち包囲枠体５２の一側方（図１中、左側方）には普図始動ゲート５４を配置し、包囲枠体５２の下方には始動入賞口５５を配置し、該始動入賞口５５の下方には大入賞口５６を配置し、該大入賞口５６の左右両側方には、発光により各種の装飾表示を行うサイドランプ５７を配置し、該サイドランプ５７に一般入賞口５８を備えている。そして、大入賞口５６の下方に位置する遊技領域５の下端には、入賞せずに流下してきた遊技球を回収するアウト口５９を設けている。
【００２７】
また、軸着側壁部４０側（図４中、左側）に位置するサイドケース５１の上下両側には、盤係合片４４を引っ掛ける盤係合受部６２を形成し、盤係合受部６２が形成されたサイドケース５１の遊技領域５側には縦向き円弧状の発射通路６３を区画形成し、発射装置１５から発射された遊技球が発射通路６３内を飛翔（上昇）して遊技領域５の上部へ飛入可能としている。そして、遊技盤６のうち施錠側壁部４１側（図４中、右側）に位置する側縁部の上下両側を切り欠いて固定部材通過部６４を形成し、サイドケース５１のうち固定部材通過部６４から遊技領域５寄りに位置する箇所には、遊技盤固定部材４６が係合可能な盤固定受部６５を形成している。さらに、下側の盤固定受部６５の上方には特図・普図表示器６６を備え、遊技球の普図始動ゲート５４への入賞（通過）を契機として実行される普図変動表示ゲームや、遊技球の始動入賞口５５への入賞を契機として実行される特図変動表示ゲーム等を特図・普図表示器６６において表示するように構成されている。なお、変動表示装置５３では、特図・普図表示器６６において実行される各種ゲームに対応して、飾り図柄による変動表示ゲームが実行されるように構成されている。
【００２８】
透明部材保持枠９は、図５に示すように、当該透明部材保持枠９の基部となる矩形状の保持枠本体７０を備え、該保持枠本体７０には、遊技領域５の全体を臨ませる大きさの略円形の保持枠開口部７１を開設し、該保持枠開口部７１を透明部材１０（詳しくは２枚の透明部材１０を略馬蹄形の周縁枠で保持して構成された透明部材ユニット（図示せず））で閉塞して構成されている。なお、保持枠本体７０の裏側のうち保持枠開口部７１の縁部の近傍にはクランプ７２を備え、該クランプ７２により透明部材１０（透明部材ユニット）を保持枠本体７０の裏側に止着している。また、透明部材保持枠９のうち遊技盤収納部３０の軸着側壁部４０の前方に位置する側部（図５中、右側縁部）の上下両側には保持枠軸着部７３を備え、該保持枠軸着部７３を前面枠本体４の保持枠軸着受部３４に軸着して透明部材保持枠９を前面枠３に対して開閉可能、且つ遊技盤収納部３０および遊技盤６（遊技領域５）を前方から被覆可能としている。さらに、透明部材保持枠９のうち施錠ユニット３６の前方に重合可能な側縁部（図５中、左側縁部）の裏側には舌片状の保持枠係合受部７４を縦向きに複数（本実施形態では３つ）並べて備えている。
【００２９】
次に、前面枠３および透明部材保持枠９を閉成状態に維持可能な施錠ユニット３６について説明する。
施錠ユニット３６は、図６および図７に示すように、金属板を屈曲する等して成形された縦長な施錠ベース８０と、該施錠ベース８０に装着された複数の係合ユニット８１（第１係合ユニット８１ａ、第２係合ユニット８１ｂ、第３係合ユニット８１ｃ、第４係合ユニット８１ｄ）と、鍵部材８２を用いて回動操作可能となる解除操作部（キーシリンダーユニット）８３と、該解除操作部８３の操作により発生した回動力を係合ユニット８１へ伝達可能な連動部材８４とを備えて構成されている。
【００３０】
施錠ベース８０は、側部が後方の背面壁部４３側（前面枠３の背面側）へ向けて屈曲した屈曲板状の縦長部材であり、前面枠３のうち遊技盤収納部３０の側方（図３中、右側方）に位置する箇所に配置されている。また、当該施錠ベース８０の前寄りに位置する縦向き短冊状平面部分を第１ベース部８０ａとして前面枠３の左右方向に沿って延在させ、当該施錠ベース８０の後寄りに位置する屈曲平面部分を第２ベース部８０ｂとして前面枠３の表裏方向に沿って延在させている。さらに、第１ベース部８０ａの裏面（背面壁部４３側に向いた面）には各係合ユニット８１を第１ベース部８０ａの長手方向（上下方向）に沿って並べて装着している。詳しくは、第１ベース部８０ａの裏面の上部には第１係合ユニット８１ａおよび第２係合ユニット８１ｂを装着し、第１係合ユニット８１ａを第２係合ユニット８１ｂよりも上方に配置している。また、第１ベース部８０ａの裏面の下部には第３係合ユニット８１ｃおよび第４係合ユニット８１ｄを装着し、第３係合ユニット８１ｃを第４係合ユニット８１ｄよりも上方に配置している。そして、第１ベース部８０ａの裏面のうち第３係合ユニット８１ｃと第４係合ユニット８１ｄとの間に位置する箇所には解除操作部８３を装着し、該解除操作部８３の前側部分を第１ベース部８０ａに開設されたベース側操作開口部８６から前方へ突出している。
【００３１】
係合ユニット８１は、図８〜図１０に示すように、金属板を屈曲する等して成形された係合ベース８８を備え、該係合ベース８８の前寄りに位置する平面部分を止着部８８ａとして第１ベース部８０ａに平行となる姿勢に設定し、該止着部８８ａと第１ベース部８０ａとをリベット等の止着具８９で止着して当該係合ユニット８１を施錠ベース８０に固定している。また、係合ベース８８の後寄りに位置する屈曲平面部分をブラケット部８８ｂとして第２ベース部８０ｂに平行となる姿勢に設定し、該ブラケット部８８ｂの外側面（第２ベース部８０ｂ側に向いた側面）には、機枠２に係合する機枠係合部材９１や透明部材保持枠９に係合する保持枠係合部材９２を備えている。詳しくは、第１係合ユニット８１ａのブラケット部８８ｂには機枠係合部材９１と保持枠係合部材９２とを備え（図８参照）、第２係合ユニット８１ｂのブラケット部８８ｂおよび第３係合ユニット８１ｃのブラケット部８８ｂには保持枠係合部材９２を備え（図９参照）、第４係合ユニット８１ｄのブラケット部８８ｂには機枠係合部材９１を備えている（図１０参照）。
【００３２】
機枠係合部材９１は、前面枠３を機枠２に対して閉じた状態を維持するための部材であり、図８および図１０に示すように、前面枠３の表裏方向に沿って延在し、該機枠係合部材９１の後端部（前面枠３の裏面側端部）には、機枠２（詳しくは機枠係合受部２８）に係合可能な機枠係合爪９５を下方へ向けた姿勢で設け、該機枠係合爪９５をブラケット部８８ｂおよび第２ベース部８０ｂよりも後方へ突出して前面枠本体４の裏側に露出している。また、機枠係合部材９１の前寄り（止着部８８ａ寄り）の箇所を機枠係合回動軸９６でブラケット部８８ｂの上寄りに軸着し、機枠係合爪９５を機枠係合回動軸９６の周りに上下方向へ回動して機枠係合部材９１が機枠係合状態と機枠係合解除状態とに設定されるように構成されている。詳しくは、機枠係合爪９５を下方へ回動すると機枠係合状態に変換し、機枠係合爪９５を上方へ回動すると機枠係合解除状態に変換して機枠係合状態を解除する。そして、前面枠本体４（前面枠３）を機枠２に対して閉じた閉成状態においては、機枠係合部材９１を機枠係合状態に変換すると、機枠係合爪９５を機枠係合受部２８に係合して前面枠３の開放を規制し、機枠係合部材９１を機枠係合解除状態に変換すると、機枠係合爪９５を機枠係合受部２８から外して前面枠３の開放を許容する。さらに、機枠係合爪９５よりも機枠係合回動軸９６寄りの位置を左右方向（機枠係合回動軸９６の軸方向）に屈曲して回動ストッパー９７を形成し、機枠係合状態において回動ストッパー９７をブラケット部８８ｂの後縁部に当接して、機枠係合部材９１が機枠係合爪９５を機枠係合状態よりも下方に回動することを阻止している。
【００３３】
また、機枠係合部材９１の前端部（止着部８８ａ側の端部）と、機枠係合部材９１よりも上方に位置する止着部８８ａの上縁部との間をコイルばね等の機枠係合付勢部材９８で連結し、該機枠係合付勢部材９８の付勢力により機枠係合部材９１を機枠係合解除状態から機枠係合状態に変換する方向（機枠係合爪９５を下方へ回動する方向）へ常時付勢するように構成されている。そして、回動ストッパー９７と機枠係合回動軸９６との間には機枠係合連結ピン９９を機枠係合回動軸９６に平行となる姿勢で突設し、該機枠係合連結ピン９９の先端をブラケット部８８ｂに開設された縦長なブラケット溝部８８ｃの上部に通して後述の連動部材８４に連結している。
【００３４】
保持枠係合部材９２は、透明部材保持枠９を前面枠３に対して閉じた状態を維持するための部材であり、図８および図９に示すように、前面枠３の表裏方向に沿って延在し、該保持枠係合部材９２の前端部（前面枠３の表面側端部）には、透明部材保持枠９（詳しくは保持枠係合受部７４）に係合可能な保持枠係合爪１０５を下方へ向けた姿勢で設け、該保持枠係合爪１０５を止着部８８ａよりも前方に突出し、第１ベース部８０ａに開設された縦長スリット状のベース側挿通溝１０６（図７参照）、および前面枠本体４に開設された枠本体側挿通開口１０７（図３参照）へ通して前面枠本体４の表側へ露出している。また、保持枠係合部材９２の前寄り（止着部８８ａ寄り）の箇所を保持枠係合回動軸１０８でブラケット部８８ｂの下寄りに軸着し、保持枠係合爪１０５を保持枠係合回動軸１０８の周りに上下方向へ回動して保持枠係合部材９２が保持枠係合状態と保持枠係合解除状態とに設定されるように構成されている。詳しくは、保持枠係合爪１０５を下方へ回動すると保持枠係合状態に変換し、保持枠係合爪１０５を上方へ回動すると保持枠係合解除状態に変換して保持枠係合状態を解除する。そして、透明部材保持枠９を前面枠３に対して閉じた閉成状態においては、保持枠係合部材９２を保持枠係合状態に変換すると、保持枠係合爪１０５を保持枠係合受部７４に係合して透明部材保持枠９の開放を規制し、保持枠係合解除状態に変換すると、保持枠係合爪１０５を保持枠係合受部７４から外して透明部材保持枠９の開放を許容する。
【００３５】
さらに、保持枠係合爪１０５よりも保持枠係合回動軸１０８寄りの箇所と、保持枠係合部材９２よりも下方に位置する止着部８８ａの下縁部との間をコイルばね等の保持枠係合付勢部材１０９で連結し、該保持枠係合付勢部材１０９の付勢力により保持枠係合部材９２を保持枠係合解除状態から保持枠係合状態に変換する方向（保持枠係合爪１０５を下方へ回動する方向）へ常時付勢するように構成されている。そして、保持枠係合状態においては保持枠係合付勢部材１０９が保持枠係合部材９２を下方から支持して、保持枠係合部材９２が保持枠係合爪１０５を保持枠係合状態よりも下方に回動することを阻止している。また、保持枠係合部材９２の後端部には保持枠係合連結ピン１１０を保持枠係合回動軸１０８に平行となる姿勢で突設し、該保持枠係合連結ピン１１０の先端をブラケット溝部８８ｃの下部に通して後述の連動部材８４に連結している。
【００３６】
解除操作部８３は、図１１に示すように、前面枠３の表裏方向に沿って延在する円筒状のシリンダーケース１１３内に、シリンダー錠の一部を構成している円柱状の回動部１１４を前端部が解除操作部８３の前方に露出した状態、且つ回動部１１４の中心軸周りに回動可能な状態で収納し、回動部１１４の前端には鍵穴１１５を開設し、該鍵穴１１５にシリンダー錠に適合した鍵部材８２を挿入して解除操作部８３（回動部１１４）を回動操作可能としている。また、シリンダーケース１１３の後部の上下両側に設けられた止着フランジ１１６を第１ベース部８０ａの裏側に止着するとともに、シリンダーケース１１３および回動部１１４を第１ベース部８０ａの裏側からベース側操作開口部８６、前面枠本体４に開設された枠本体側操作開口部１１７（図３参照）へ通して、鍵穴１１５を前面枠３の外方（詳しくはパチンコ遊技機１の前方（図１参照））へ露出し、鍵穴１１５に鍵部材８２をパチンコ遊技機１の前方から挿入可能としている。さらに、回動部１１４の後部には、回動部１１４と共回りする回動ジョイント部１１８をシリンダーケース１１３の後方へ向けて突設し、回動ジョイント部１１８には平板状の出力部１１９をビス等の止着具１２０で止着して回動部１１４と出力部１１９とを共回り可能としている。そして、出力部１１９のうち回動ジョイント部１１８から外れた位置には、回動部１１４の円周方向に沿って並ぶ２つの出力突起（第１出力突起１２１および第２出力突起１２２）を解除操作部８３の後方へ向けて突設している。
【００３７】
このような構成を備えた解除操作部８３において、鍵部材８２を鍵穴１１５に対して挿脱可能となる挿脱許容状態（施錠非操作状態）に設定すると、図１２（ａ）に示すように、出力部１１９が回動開始姿勢に設定される。この回動開始姿勢では、第１出力突起１２１および第２出力突起１２２を回動部１１４の回動中心（出力部１１９の回動中心）よりも第２ベース部８０ｂ寄り（図１２（ａ）中、右寄り）の位置で上下に並べ、第１出力突起１２１を出力部１１９の回動中心よりも上方に位置させるとともに第２出力突起１２２を出力部１１９の回動中心よりも下方に位置させる。また、鍵部材８２を回して出力部１１９を回動開始姿勢から機枠解除方向（図１２（ａ）中、反時計方向の矢印Ａで示す方向）の最大回動角度となる機枠解除角度α（本実施形態では４０度）まで回動すると、図１２（ｂ）に示すように、出力部１１９が第１出力突起１２１および第２出力突起１２２を上昇させて機枠解除姿勢に変換され、第１出力突起１２１を出力部１１９の回動中心の直上に移動するとともに第２出力突起１２２を出力部１１９の回動中心と横に並ぶ位置まで移動する。さらに、鍵部材８２を回して出力部１１９を回動開始姿勢から保持枠解除方向（図１２（ａ）中、時計方向の矢印Ｂで示す方向）の最大回動角度となる保持枠解除角度β（本実施形態では１２０度）まで回動すると、図１２（ｃ）に示すように、出力部１１９が第１出力突起１２１および第２出力突起１２２を下降させて保持枠解除姿勢に変換され、第１出力突起１２１を出力部１１９の回動中心の下方に移動するとともに第２出力突起１２２を出力部１１９の回動中心を挟んで第２ベース部８０ｂとは反対側（図１２（ｃ）中、左側）まで移動する。なお、機枠解除姿勢および保持枠解除姿勢における各出力突起１２１，１２２の作用については、後で詳細に説明する。
【００３８】
連動部材８４は、解除操作部８３と各係合ユニット８１とを連動させるために上下方向に移動する縦長な部材であり、図６に示すように、各ブラケット部８８ｂの内側面（止着部８８ａ側に向いた面）に重なって配置されている。また、図７および図１２（ａ）に示すように、解除操作部８３の後方に位置する箇所には、横向き平板状に形成された上側操作受部１２３および下側操作受部１２４を上下に離間した状態で備え、出力部１１９が回動開始姿勢に設定されている場合には、上側操作受部１２３の上面に第１出力突起１２１を当接するとともに下側操作受部１２４の下面に第２出力突起１２２を当接して、連動部材８４が連動開始位置にて上下移動を規制されるように構成されている。また、解除操作部８３の操作により連動開始位置から上方にずれて機枠操作位置に移動したり、連動開始位置から下方にずれて保持枠操作位置に移動したりする。なお、機枠操作位置または保持枠操作位置への移動については、後で詳細に説明する。
【００３９】
さらに、図１３（ａ）および（ｂ）に示すように、連動部材８４のうち機枠係合連結ピン９９に重合する箇所には、上部が下部よりも拡幅した縦向き長円形状の機枠係合連結開口１２７を開設し、該機枠係合連結開口１２７に機枠係合連結ピン９９を挿通して機枠係合部材９１を連動部材８４に連動可能な状態で接続している。また、保持枠係合連結ピン１１０に重合する箇所には、下部が上部よりも拡幅した縦向き長円形状の保持枠係合連結開口１２８を開設し、該保持枠係合連結開口１２８に保持枠係合連結ピン１１０を挿通して保持枠係合部材９２を連動部材８４に連動可能な状態で接続している。そして、連動部材８４の上下移動が規制されている場合（出力部１１９を回動開始姿勢とした場合）には、機枠係合連結ピン９９が機枠係合連結開口１２７の下縁部に係合するとともに、保持枠係合連結ピン１１０が保持枠係合連結開口１２８の上縁部に係合するように構成されている（図６（ａ）および図１３（ｃ）参照）。
【００４０】
また、連動部材８４のうち、第１係合ユニット８１ａを連結する箇所と第２係合ユニット８１ｂを連結する箇所との間、および第３係合ユニット８１ｃを連結する箇所と上側操作受部１２３との間には、遊技盤固定部材４６の一部を押圧可能（係合可能）な連動係合受部（連動係合部材）１３０をそれぞれ下向きにして形成し、連動部材８４が移動する移動力を受けて可動するように構成されている。さらに、図１３（ａ）に示すように、連動部材８４の上側に位置する連動係合受部（連動係合部材）１３０の前方には、連動部材８４の上下移動の操作を可能とする連動操作部１３１を前方へ延設し、該連動操作部１３１の先端部を第１ベース部８０ａに開設された縦長スリット状の操作部挿通溝１３２（図７参照）へ通して、第１係合ユニット８１ａの保持枠係合爪１０５とともに枠本体側挿通開口１０７から前面枠本体４の表側へ臨ませている（図３参照）。このようにして設けられた連動操作部１３１は、透明部材保持枠９を前面枠本体４に対して閉成すると、透明部材保持枠９により被覆されて操作不能となる一方、透明部材保持枠９を前面枠本体４に対して開放すれば、前面枠３の外方（前方）に露出して操作可能となる。
【００４１】
そして、施錠ユニット３６は、施錠ベース８０に遊技盤固定部材４６を複数（本実施形態では２つ）装着している。具体的には、図１４および図１５に示すように、第２ベース部８０ｂの外側面（遊技盤収納部３０側に向いた面）のうち、第１係合ユニット８１ａと第２係合ユニット８１ｂとの間に位置する箇所、および第３係合ユニット８１ｃと解除操作部８３との間に位置する箇所に盤固定操作開口１３５を開設し、該盤固定操作開口１３５の前方および後方に設けられた装着部（盤固定ブラケット）１３６の間には盤固定回動軸１３７を架設してＥリング等のストッパー１３８で脱落を防止し、盤固定回動軸１３７に遊技盤固定部材４６を上下に回動可能な状態で軸着（装着）している。
【００４２】
遊技盤固定部材４６は、図１６に示すように、盤固定回動軸１３７が挿通される盤固定軸受部１４１を前面枠本体４の表裏方向に沿って延設し、該盤固定軸受部１４１の側部の前寄り（前面枠本体４の表寄り）には、遊技盤６の盤固定受部６５に遊技盤６の表側から係合可能な盤固定係合部１４２を側方（図１６（ａ）中、左側方）へ向けて突設し、盤固定軸受部１４１の側部の後寄り（前面枠本体４の裏寄り）には、遊技盤６の側部を押圧可能な盤固定押圧部１４３を備えている。また、盤固定係合部１４２の前面には、回動操作時に指等を引っ掛けるための固定操作部１４４を前方へ向けて突設し、盤固定軸受部１４１の側部のうち盤固定軸受部１４１を挟んで盤固定押圧部１４３とは反対側（図１６（ａ）中、右側）には、連動部材８４に係合可能な連動係合レバー１４５を突設して盤固定操作開口１３５へ通し、連動係合レバー１４５の先端部を連動部材８４の連動係合受部（連動係合部材）１３０へ下方から係合可能としている。
【００４３】
このような構成を備えた遊技盤固定部材４６は、施錠側壁部４１の上下両側に開設された固定露出開口１４６（図３参照）から遊技盤収納部３０に露出し、図１７（ａ）および図１８に示すように、下方へ回動して盤固定係合部１４２を横向きに配置すると、遊技盤収納部３０内に遊技盤６を固定する盤固定状態に変換する。この盤固定状態においては、盤固定係合部１４２が遊技盤収納部３０内の遊技盤６の前方に移動して盤固定受部６５を前面側から後方の背面壁部４３側へ押圧し、遊技盤６の表裏方向（前後方向）の移動を規制する。また、盤固定押圧部１４３の先端部が遊技盤６の側面（右側面）を押圧して、遊技盤６の左右方向の移動を規制する（図１８参照）。一方、図１７（ｂ）に示すように、上方へ回動して盤固定係合部１４２を縦向きに配置すると、盤固定状態を解除する盤固定解除状態に変換する。この盤固定解除状態においては、盤固定係合部１４２が遊技盤収納部３０内の遊技盤６の盤係合受部６２から外れて固定部材通過部６４の前方に移動し、遊技盤６の前後方向の移動を許容する。また、盤固定押圧部１４３の先端部が遊技盤６の側面（右側面）から後退し、遊技盤６の左右方向の移動を許容する。
【００４４】
次に、上記構成を備えた施錠ユニット３６における解錠操作について説明する。なお、パチンコ遊技機１は、予め遊技盤収納部３０に遊技盤６を収納しておき、遊技盤固定部材４６を盤固定状態に変換して遊技盤６を固定しているものとする。また、透明部材保持枠９を前面枠本体４に対して閉成し、保持枠係合部材９２の保持枠係合爪１０５を保持枠係合受部７４に係合して透明部材保持枠９の閉成状態を維持（透明部材保持枠９の開放を規制）しているものとする（図１９（ａ）参照）。さらに、前面枠３（前面枠本体４）を機枠２に対して閉成し、機枠２係合部の機枠係合爪９５を機枠係合受部２８に係合して前面枠３の閉成状態を維持（前面枠３の開放を規制）しているものとする（図２０（ａ）および図２１参照）。
【００４５】
まず、閉成状態の透明部材保持枠９を開放するには、鍵部材８２を鍵穴１１５に挿入し、この状態で鍵部材８２（回動部１１４）を保持枠解除方向Ｂへ回して出力部１１９を保持枠解除姿勢に変換する。すると、図１２（ｃ）および図１９（ｂ）に示すように、出力部１１９の第１出力突起１２１の回動力で上側操作受部１２３が下方へ押圧されて連動部材８４が連動開始位置から保持枠操作位置に押し下げられ、保持枠操作位置に移動した連動部材８４が保持枠係合連結開口１２８の上縁部により保持枠係合連結ピン１１０を保持枠係合付勢部材１０９の付勢力に抗して引き下げるとともに、連動係合受部（連動係合部材）１３０により連動係合レバー１４５を押し下げる。言い換えると、連動部材８４が下方（上下一方向）へ移動する移動力を受けて連動係合受部（連動係合部材）１３０が可動して、連動係合レバー１４５を押し下げる。このとき、連動部材８４の保持枠操作位置への押し下げに伴って機枠係合連結開口１２７が下方へ移動して、該機枠係合連結開口１２７の下縁部が機枠係合連結ピン９９から離間するが、機枠係合連結開口１２７の上縁部が機枠係合連結ピン９９に当接するまで下降しない。このため、連動部材８４は、機枠係合部材９１には出力部１１９からの押圧力を伝達せず、機枠係合部材９１の機枠係合状態を維持する。
【００４６】
出力部１１９の回動力を受けて連動部材８４が下方（上下一方向）へ移動し、この連動部材８４により保持枠係合連結ピン１１０を引き下げられた保持枠係合部材９２は、保持枠係合爪１０５を上方へ回動して保持枠係合解除状態に変換し、保持枠係合爪１０５と保持枠係合受部７４との係合を解除して透明部材保持枠９の開放を許容する（図１９（ｂ）参照）。この状態で透明部材保持枠９を前方へ引けば、透明部材保持枠９を開放することができる。一方、連動部材８４により連動係合レバー１４５を押し下げられた遊技盤固定部材４６は、盤固定係合部１４２および盤固定押圧部１４３を上方へ回動して盤固定解除状態に変換し、遊技盤６の盤固定受部６５側（図４中、右側）が遊技盤収納部３０から前方へ外れることを許容する（図１９（ｂ）および図２２参照）。この状態で固定部材通過部６４に遊技盤固定部材４６を通しながら遊技盤６の盤固定受部６５側を遊技盤収納部３０から引き出し、さらには遊技盤６の盤係合受部６２側（図４中、左側）を背面壁部４３と盤係合片４４との間から引き抜けば、遊技盤６を遊技盤収納部３０から外すことができる。
【００４７】
このことから、解除操作部８３を操作するだけで、透明部材保持枠９の開放準備と遊技盤６の固定解除とを実行することができる。したがって、遊技盤６の交換作業時における遊技盤６の取り外し準備を簡単に行うことができる。また、施錠ユニット３６の施錠ベース８０に保持枠係合部材９２および機枠係合部材９１だけではなく遊技盤固定部材４６をも装着しているので、透明部材保持枠９および前面枠３を閉成状態で施錠する各手段と、遊技盤６を固定する手段とを単一のベース部材を介して前面枠３に取り付けることができる。したがって、パチンコ遊技機１の部品点数の削減、ひいてはパチンコ遊技機１の製造コストの低減を図ることができる。
【００４８】
そして、回した鍵部材８２を押さえる力を緩めると、第１出力突起１２１の押圧力が解除されるとともに、保持枠係合部材９２が保持枠係合付勢部材１０９の付勢力により保持枠係合状態に戻って保持枠係合連結ピン１１０を上方へ回動し、この保持枠係合連結ピン１１０が連動部材８４を上方（上下他方向）へ移動して連動開始位置に押し上げる。さらに、上側操作受部１２３が第１出力突起１２１を押し上げて出力部１１９を回動開始姿勢とし、解除操作部８３を挿脱許容状態に戻す。
【００４９】
また、前面枠３を機枠２に対して開放するには、鍵部材８２を鍵穴１１５に挿入し、この状態で鍵部材８２（回動部１１４）を機枠解除方向Ａへ回して出力部１１９を機枠解除姿勢に変換する。すると、図１２（ｂ）および図２０（ｂ）に示すように、出力部１１９の第２出力突起１２２の回動力で下側操作受部１２４が上方へ押圧されて、連動部材８４が上方（上下他方向）へ移動して連動開始位置から保持枠操作位置とは異なる機枠操作位置（詳しくは保持枠操作位置よりも上方の機枠操作位置）に押し上げられ、機枠操作位置に移動した連動部材８４が機枠係合連結開口１２７の下縁部により機枠係合連結ピン９９を機枠係合付勢部材９８の付勢力に抗して押し上げる。このとき、連動部材８４の押し上げに伴って保持枠係合連結開口１２８が上方へ移動して、該保持枠係合連結開口１２８の上縁部が保持枠係合連結ピン１１０から離間するが、保持枠係合連結開口１２８の下縁部が保持枠係合連結ピン１１０に当接するまで上昇しない。このため、連動部材８４は、機枠係合部材９１には出力部１１９からの押圧力を伝達せず、保持枠係合部材９２の保持枠係合状態を維持する。
【００５０】
出力部１１９の回動力を受けて連動部材８４が上方（上下他方向）へ移動し、この連動部材８４により機枠係合連結ピン９９を押し上げられた機枠係合部材９１は、機枠係合爪９５を上方へ回動して機枠係合解除状態に変換し、機枠係合爪９５と機枠係合受部２８との係合を解除して前面枠３の開放を許容する。この状態で前面枠３（前面枠本体４）を前方へ引けば、前面枠３を開放することができる。そして、回した鍵部材８２を押さえる力を緩めると、第２出力突起１２２の押圧力が解除されるとともに、機枠係合部材９１が機枠係合付勢部材９８の付勢力により機枠係合状態に戻って機枠係合連結ピン９９を下方へ回動し、この機枠係合連結ピン９９が連動部材８４を連動開始位置に押し下げる。さらに、下側操作受部１２４が第２出力突起１２２を押し下げて出力部１１９を回動開始姿勢とし、解除操作部８３を挿脱許容状態に戻す。
【００５１】
そして、透明部材保持枠９を開放して前面枠３の前方に連動操作部１３１を露出しておき、この連動操作部１３１を機枠係合付勢部材９８の付勢力に抗して押し上げる操作を実行すれば、連動部材８４が上方（上下他方向）に移動（詳しくは、連動開始位置から機枠操作位置に移動）して機枠係合連結ピン９９を押し上げ、機枠係合部材９１を機枠係合解除状態に変換する（図２１参照）。したがって、鍵部材８２を抜いて解除操作部８３を回動操作できない状態であったとしても、解除操作部８３とは別個に連動操作部１３１を操作して前面枠３を機枠２に対して容易に開放することができる。また、透明部材保持枠９を閉成して連動操作部１３１を被覆しておけば、連動操作部１３１が不用意に操作される不都合を阻止することができる。したがって、不正行為者が前面枠３を不正に開放操作することを未然に防ぐことができる。
【００５２】
開放した前面枠３を機枠２に対して閉じるには、鍵穴１１５に鍵部材８２を挿入せずに解除操作部８３を挿脱許容状態としたままで、前面枠３を機枠２側へ向けて回動して機枠係合爪９５の下部を機枠係合受部２８の上縁部に当接する。この状態で前面枠３を機枠２側へ押し込むと、機枠係合受部２８が機枠係合付勢部材９８の付勢力に抗して機枠係合爪９５を押し上げて機枠係合部材９１を機枠係合解除状態に変換する。このとき、機枠係合連結ピン９９が上方に回動するが機枠係合連結開口１２７の上縁部に当接しないため、連動部材８４が機枠係合部材９１の機枠係合解除状態への変換を規制しない。そして、前面枠３を機枠２側へ十分に押し込んで閉成すると、機枠係合爪９５の下端が機枠係合受部２８を乗り越えて機枠係合受部２８に引っ掛かり、機枠係合部材９１が機枠係合状態に変換して前面枠３の開放を規制する。
【００５３】
また、遊技盤収納部３０に遊技盤６を取り付けるには、透明部材保持枠９を大きく開き、遊技盤固定部材４６を盤固定解除状態にしておく。この状態で遊技領域５を前方に向けた遊技盤６の盤係合受部６２側（図４中、左側）を背面壁部４３と盤係合片４４との間に差し込み、遊技盤６を軸着側壁部４０側へ向けて押圧するようにしながら遊技盤６の盤固定受部６５側（図４中、右側）を遊技盤収納部３０内に押し入れるとともに遊技盤固定部材４６を固定部材通過部６４に通し、遊技盤６の下端を遊技盤載置部３２上に載せる。遊技盤載置部３２に遊技盤６を載せたならば、遊技盤６を十分に後退させて背面壁部４３に遊技盤６の裏面を当接する。そして、固定操作部１４４を指などで押圧して遊技盤固定部材４６を盤固定状態に変換して遊技盤６を固定する。このとき、解除操作部８３を挿脱許容状態として出力部１１９を回動開始姿勢に設定し、連動部材８４が出力部１１９の回動力を受けていない状態においては、連動部材８４は、盤固定解除状態に変換していた遊技盤固定部材４６の連動係合レバー１４５から連動係合受部（連動係合部材）１３０を上方へ離間し、遊技盤固定部材４６が盤固定解除状態から盤固定状態に変換することを許容する。したがって、連動部材８４が遊技盤固定部材４６の盤固定状態への変換を阻止する不都合、ひいては遊技盤収納部３０内に収納された遊技盤６の固定作業を阻止する不都合をなくすことができる。
【００５４】
さらに、開放した透明部材保持枠９を前面枠３に対して閉じるには、鍵穴１１５に鍵部材８２を挿入せずに解除操作部８３を挿脱許容状態としたままで、透明部材保持枠９を前面枠本体４側へ向けて回動して保持枠係合爪１０５の下部を保持枠係合受部７４の上縁部に当接する。この状態で透明部材保持枠９を前面枠本体４側へ押し込むと、保持枠係合受部７４が保持枠係合付勢部材１０９の付勢力に抗して保持枠係合爪１０５を押し上げて保持枠係合部材９２を保持枠係合解除状態に変換する。このとき、保持枠係合連結ピン１１０が下方に回動するが保持枠係合連結開口１２８の下縁部に当接しないため、連動部材８４が保持枠係合部材９２の保持枠係合解除状態への変換を規制しない。そして、透明部材保持枠９を前面枠本体４側へ十分に押し込んで閉成すると、保持枠係合爪１０５の下端が保持枠係合受部７４を乗り越えて保持枠係合受部７４に引っ掛かり、保持枠係合部材９２が保持枠係合状態に変換して透明部材保持枠９の開放を規制する。
【００５５】
ところで、上記実施形態では、鍵部材８２を回して出力部１１９を保持枠解除姿勢に変換すると、保持枠係合部材９２を保持枠係合解除状態に変換するとともに遊技盤固定部材４６を盤固定解除状態に変換したが、本発明はこれに限定されない。例えば、図２３〜図２６に示す第２実施形態においては、基本的な構成は第１実施形態と同じであるが、解除操作部８３の出力部１１９を保持枠解除姿勢および機枠解除姿勢とは別個の盤解除姿勢に変換可能とし、出力部１１９を盤解除姿勢に変換すると、遊技盤固定部材４６を盤固定解除状態に変換するように構成されている点で異なる。具体的に説明すると、第２実施形態における解除操作部８３は、図２３（ａ）に示すように、鍵部材８２を回して出力部１１９を回動開始姿勢から保持枠解除方向Ｂの最大回動角度まで回動する途中の保持枠解除角度β１（本実施形態では６０度）に回動すると、第１出力突起１２１および第２出力突起１２２を下降させて出力部１１９を保持枠解除姿勢に変換し、第１出力突起１２１を出力部１１９の回動中心と横に並ぶ位置まで移動するとともに第２出力突起１２２を出力部１１９の回動中心の下方に移動する。さらに、図２３（ｂ）に示すように、鍵穴１１５に挿入した鍵部材８２を回して出力部１１９を回動開始姿勢から保持枠解除方向Ｂの最大回動角度となる盤解除角度β２（本実施形態では１２０度）まで回動すると、保持枠解除姿勢から第１出力突起１２１を下降させるとともに第２出力突起１２２を上昇させて出力部１１９を盤解除姿勢に変換し、第１出力突起１２１を出力部１１９の回動中心の下方に移動するとともに第２出力突起１２２を出力部１１９の回動中心を挟んで第２ベース部８０ｂとは反対側（図２３（ａ）中、左側）まで移動する。なお、上側操作受部１２３の上面に第１出力突起１２１を当接する連動部材８４は、出力部１１９を保持枠解除姿勢に変換すると、連動開始位置よりも低い保持枠操作位置に移動し、出力部１１９を盤解除姿勢に変換すると、保持枠操作位置よりも低い盤操作位置に移動する。
【００５６】
また、施錠ユニット３６は、連動部材８４と各遊技盤固定部材４６の連動係合レバー１４５との間にリンクアーム（連動係合部材）１５０を備えている。リンクアーム（連動係合部材）１５０は、図２４に示すように、連動部材８４側に位置する一端にアーム回動軸受１５１を開設して施錠ベース８０に回動自在な状態で軸着し、遊技盤固定部材４６側に位置する他端には、連動係合レバー１４５を押圧可能なアーム係合突起１５２を突設している。また、リンクアーム（連動係合部材）１５０の長手方向の中間部分には、連動部材８４から突設したカムフォロワ１５４を係合可能なカム溝１５５を屈曲した状態で開設し、該カム溝１５５のうち屈曲箇所からアーム係合突起１５２寄りに位置する部分を第１溝部１５５ａとし、アーム回動軸受１５１寄りに位置する部分を第２溝部１５５ｂとし、第１溝部１５５ａの長さを連動部材８４の連動開始位置から保持枠操作位置までの移動距離よりも長く、且つ連動開始位置から盤操作位置までの移動距離よりも短く設定している。そして、図２５に示すように、盤固定状態になっている遊技盤固定部材４６の連動係合レバー１４５にアーム係合突起１５２を係合しているアーム非操作姿勢では、アーム係合突起１５２がアーム回動軸受１５１よりも上方に位置し、第１溝部１５５ａが連動部材８４の上下移動方向に沿って延在するとともに、第２溝部１５５ｂが第１溝部１５５ａの下端からアーム回動軸受１５１側へ向けて延在するように構成されている。さらに、連動部材８４が連動開始位置に位置している状態においては、カムフォロワ１５４が縦向き状態の第１溝部１５５ａの上端部に係合するように構成されている（図２５（ａ）参照）。
【００５７】
このような構成を備えた施錠ユニット３６の作用について説明すると、まず、各遊技盤固定部材４６を予め盤固定状態に設定して、リンクアーム（連動係合部材）１５０を介して遊技盤固定部材４６と連動部材８４とを係合しておく。この状態で鍵穴１１５に挿入した鍵部材８２を回し、出力部１１９を回動開始姿勢から保持枠解除方向Ｂへ回動して保持枠解除姿勢に変換すると、出力部１１９の第１出力突起１２１の回動力を受けて上側操作受部１２３が下方へ押圧されて連動部材８４が下方（上下一方向）へ移動して連動開始位置から保持枠操作位置に押し下げられる。さらに、保持枠操作位置に移動した連動部材８４が保持枠係合連結開口１２８の上縁部により保持枠係合連結ピン１１０を保持枠係合付勢部材１０９の付勢力に抗して引き下げて、保持枠係合部材９２を保持枠係合解除状態に変換する。このとき、カムフォロワ１５４が連動部材８４の上下移動方向に沿って延在する第１溝部１５５ａ内を下降するが、第１溝部１５５ａの下端部（第２溝部１５５ｂとの連通部）まで移動しない。このため、リンクアーム（連動係合部材）１５０がアーム非操作姿勢に維持されるとともに、各遊技盤固定部材４６が盤固定状態に維持される。
【００５８】
引き続き鍵部材８２を回し、出力部１１９を保持枠解除姿勢から保持枠解除方向Ｂへ回動すると、出力部１１９の第１出力突起１２１の回動力を受けて上側操作受部１２３がさらに下方へ押圧されて連動部材８４が下方（上下一方向）へ移動して保持枠操作位置から押し下げられる。さらに、連動部材８４が盤操作位置に移動する前（出力部１１９が盤解除姿勢に変換する前）に、カムフォロワ１５４が第２溝部１５５ｂに進入して第２溝部１５５ｂの縁に係合し、この縁を下方へ押圧する（図２５（ｂ）参照）。そして、出力部１１９を盤解除姿勢に変換して連動部材８４が盤操作位置に到達すると、各リンクアーム（連動係合部材）１５０がアーム回動軸受１５１を中心に下方へ回動してアーム操作姿勢に変換し、アーム係合突起１５２が連動係合レバー１４５を押し下げ、これにより各遊技盤固定部材４６が盤固定解除状態に変換する（図２６（ａ）および（ｂ）参照）。このようにして出力部１１９を保持枠解除方向Ｂに回動して保持枠係合部材９２を保持枠係合解除状態に変換した後に、遊技盤固定部材４６を盤固定解除状態に変換するので、出力部１１９が保持枠係合部材９２と遊技盤固定部材４６とから同時に抵抗力を受けることを避けることができ、解除操作部８３を円滑に操作することができる。また、解除操作部８３を操作して出力部１１９を保持枠解除姿勢にのみ変換すれば、遊技盤６の固定を解除せずに透明部材保持枠９を解錠することができ、透明部材保持枠９の開放準備のみを選択して実行することができる。
【００５９】
なお、回した鍵部材８２を押さえる力を緩めると、第１出力突起１２１の押圧力が解除されるとともに、保持枠係合部材９２が保持枠係合付勢部材１０９の付勢力により保持枠係合状態に戻って保持枠係合連結ピン１１０を上方へ回動し、この保持枠係合連結ピン１１０が連動部材８４を連動開始位置に押し上げる。さらに、上側操作受部１２３が第１出力突起１２１を押し上げて出力部１１９を回動開始姿勢とし、解除操作部８３を挿脱許容状態に戻す。また、連動部材８４の連動開始位置への上昇に伴ってカムフォロワ１５４がカム溝１５５内を上昇してリンクアーム（連動係合部材）１５０をアーム操作姿勢からアーム非操作姿勢に戻す。この結果、出力部１１９が回動開始姿勢に設定されて連動部材８４が出力部１１９の回動力を受けていない状態においては、リンクアーム（連動係合部材）１５０のアーム係合突起１５２が遊技盤固定部材４６の連動係合レバー１４５から上方へ離間し、盤固定解除状態の遊技盤固定部材４６と連動部材８４との係合が解除され、遊技盤固定部材４６が盤固定解除状態から盤固定状態に変換することを許容する。したがって、連動部材８４およびリンクアーム（連動係合部材）１５０が遊技盤固定部材４６の盤固定状態への変換を阻止する不都合、ひいては遊技盤収納部３０内に収納された遊技盤６の固定作業を阻止する不都合をなくすことができる。
【００６０】
ところで、上記第２実施形態では、出力部１１９を盤解除姿勢に変換して連動部材８４を盤操作位置に移動すると、上下両側の遊技盤固定部材４６を同時に盤固定状態から盤固定解除状態へ変換するように構成したが、本発明はこれに限定されない。例えば、図２７〜図３１に示す第３実施形態においては、基本的な構成は第２実施形態と同じであるが、遊技盤固定部材４６を１つずつ盤固定解除状態に変換するように構成されている点で異なる。具体的に説明すると、第３実施形態における解除操作部８３は、図２７に示すように、鍵部材８２を回して出力部１１９を回動開始姿勢から保持枠解除方向Ｂの最大回動角度まで回動する途中の保持枠解除角度β３（本実施形態では４０度）に回動すると、第１出力突起１２１および第２出力突起１２２を下降させて出力部１１９を保持枠解除姿勢に設定し、第１出力突起１２１を出力部１１９の回動中心と横に並ぶ位置まで移動するとともに第２出力突起１２２を出力部１１９の回動中心の下方に移動する。
【００６１】
また、出力部１１９を保持枠解除姿勢から保持枠解除方向Ｂの最大回動角度に回動するまで複数段階（本実施形態では２段階）の盤解除姿勢に設定する。詳しくは、鍵穴１１５に挿入した鍵部材８２を回して出力部１１９を回動開始姿勢から保持枠解除方向Ｂの第１盤解除角度β４（本実施形態では８０度）に回動すると、第１出力突起１２１を保持枠解除姿勢よりも下降させるとともに第２出力突起１２２を保持枠解除姿勢よりも側方に移動して出力部１１９を第１盤解除姿勢に設定する。さらに鍵部材８２を回して出力部１１９を保持枠解除方向Ｂの最大回動角度となる第２盤解除角度（本実施形態では１２０度）まで回動すると、第１出力突起１２１を第１盤解除姿勢よりも下降させるとともに第２出力突起１２２を第１盤解除姿勢よりも上昇させて出力部１１９を第２盤解除姿勢に設定する。なお、上側操作受部１２３の上面に第１出力突起１２１を当接する連動部材８４は、出力部１１９を保持枠解除姿勢に変換すると、連動開始位置よりも低い保持枠操作位置に移動し、出力部１１９を第１盤解除姿勢に変換すると、保持枠操作位置よりも低い第１盤操作位置に移動し、出力部１１９を第２盤解除姿勢に変換すると、第１盤操作位置よりも低い第２盤操作位置に移動する。
【００６２】
また、第３実施形態においては、カム溝１５５の寸法が異なるリンクアーム（連動係合部材）１５０を各遊技盤固定部材４６にそれぞれ対応するように複数（本実施形態では２つ）設けている。具体的には、図２８に示すように、上側の遊技盤固定部材４６に係合するリンクアーム（連動係合部材）１５０（上側リンクアーム１５０′）と、下側の遊技盤固定部材４６に係合するリンクアーム（連動係合部材）１５０（下側リンクアーム１５０″）とで第１溝部１５５ａの長さを異ならせ、上側リンクアーム１５０′の第１溝部１５５ａを下側リンクアーム１５０″の第１溝部１５５ａよりも長く設定している。さらに、上側リンクアーム１５０′の第１溝部１５５ａの長さを連動部材８４の連動開始位置から第１盤操作位置までの移動距離よりも長く、且つ連動開始位置から第２盤操作位置までの移動距離よりも短く設定し、下側リンクアーム１５０″の第１溝部１５５ａの長さを連動部材８４の連動開始位置から保持枠操作位置までの移動距離よりも長く、且つ連動開始位置から第１盤操作位置までの移動距離よりも短く設定している。なお、連動部材８４が連動開始位置に位置している状態においては、上側リンクアーム１５０′の第１溝部１５５ａの上端部および下側リンクアーム１５０″の第１溝部１５５ａの上端部にカムフォロワ１５４をそれぞれ係合するように構成されている。
【００６３】
このような構成を備えた施錠ユニット３６の作用について説明すると、まず、各遊技盤固定部材４６を予め盤固定状態に設定して、リンクアーム１５０′，１５０″を介して遊技盤固定部材４６と連動部材８４とを係合しておく。この状態で鍵穴１１５に挿入した鍵部材８２を回し、出力部１１９を回動開始姿勢から保持枠解除方向Ｂへ回動して保持枠解除姿勢に変換すると、出力部１１９の第１出力突起１２１の回動力で上側操作受部１２３が下方へ押圧されて連動部材８４が下方（上下一方向）へ移動して連動開始位置から保持枠操作位置に押し下げられる。さらに、保持枠操作位置に移動した連動部材８４が保持枠係合連結開口１２８の上縁部により保持枠係合連結ピン１１０を保持枠係合付勢部材１０９の付勢力に抗して引き下げて、保持枠係合部材９２を保持枠係合解除状態に変換する。このとき、各カムフォロワ１５４が連動部材８４の上下移動方向に沿って延在する第１溝部１５５ａ内を下降するが、何れのカムフォロワ１５４も第１溝部１５５ａの下端部（第２溝部１５５ｂとの連通部）まで移動しない。このため、各リンクアーム１５０′，１５０″がアーム非操作姿勢に維持され、各遊技盤固定部材４６が盤固定状態に維持される。
【００６４】
引き続き鍵部材８２を回し、出力部１１９を保持枠解除姿勢から保持枠解除方向Ｂへ回動すると、出力部１１９の第１出力突起１２１の回動力で上側操作受部１２３がさらに下方へ押圧されて連動部材８４が下方（上下一方向）へ移動して保持枠操作位置から押し下げられる。さらに、連動部材８４が第１盤操作位置に移動する前（出力部１１９が第１盤解除姿勢に変換する前）には、下側リンクアーム１５０″においては、カムフォロワ１５４が第２溝部１５５ｂに進入して第２溝部１５５ｂの縁を下方へ押圧するが、上側リンクアーム１５０′においては、カムフォロワ１５４が第１溝部１５５ａの下端部（第２溝部１５５ｂとの連通部）まで移動しない（図２９参照）。そして、出力部１１９を第１盤解除姿勢に変換して連動部材８４が第１盤操作位置に到達すると、下側リンクアーム１５０″がアーム回動軸受１５１を中心に下方へ回動してアーム操作姿勢に変換し、アーム係合突起１５２が連動係合レバー１４５を押し下げ、これにより下側の遊技盤固定部材４６（言い換えると、下側リンクアーム１５０″に対応する遊技盤固定部材４６）が盤固定解除状態に変換する（図３０参照）。一方、上側リンクアーム１５０′がアーム非操作姿勢に維持され、上側の遊技盤固定部材４６が盤固定状態に維持される。
【００６５】
さらに鍵部材８２を回し、出力部１１９を第１盤解除姿勢から保持枠解除方向Ｂへ回動すると、出力部１１９の第１出力突起１２１の回動力で上側操作受部１２３がさらに下方へ押圧されて連動部材８４が第１盤操作位置から押し下げられる。さらに、連動部材８４が第２盤操作位置に移動する前（出力部１１９が第２盤解除姿勢に変換する前）には、下側リンクアーム１５０″においては、カムフォロワ１５４が第２溝部１５５ｂ内を移動して下側リンクアーム１５０″を下方へ回動し、上側リンクアーム１５０′においては、カムフォロワ１５４が第２溝部１５５ｂに進入して第２溝部１５５ｂの縁を下方へ押圧する。そして、図３１に示すように、出力部１１９を第２盤解除姿勢に変換して連動部材８４が第２盤操作位置に到達すると、上側リンクアーム１５０′がアーム回動軸受１５１を中心に下方へ回動してアーム操作姿勢に変換し、アーム係合突起１５２が連動係合レバー１４５を押し下げ、これにより上側の遊技盤固定部材４６（言い換えると、上側リンクアーム１５０′に対応する遊技盤固定部材４６）が盤固定解除状態に変換する。また、下側リンクアーム１５０″がアーム係合突起１５２を連動係合レバー１４５から十分に離間する。このようにして、出力部１１９を保持枠解除方向Ｂに回動して一の段階の盤解除姿勢に変換すると、出力部１１９の回動力を受けた連動部材８４が一の遊技盤固定部材４６を連動可能となる盤操作位置に移動して、一の遊技盤固定部材４６を盤固定解除状態に変換するので、出力部１１９が保持枠係合部材９２と複数の遊技盤固定部材４６とから同時に抵抗力を受けることを避けることができる。したがって、遊技盤固定部材４６を複数備えていたとしても、解除操作部８３を支障なく操作することができる。
【００６６】
なお、回した鍵部材８２を押さえる力を緩めると、第１出力突起１２１の押圧力が解除されるとともに、保持枠係合部材９２が保持枠係合付勢部材１０９の付勢力により保持枠係合状態に戻って保持枠係合連結ピン１１０を上方へ回動し、この保持枠係合連結ピン１１０が連動部材８４を連動開始位置に押し上げる。さらに、上側操作受部１２３が第１出力突起１２１を押し上げて出力部１１９を回動開始姿勢とし、解除操作部８３を挿脱許容状態に戻す。また、連動部材８４の連動開始位置への上昇に伴ってカムフォロワ１５４がカム溝１５５内を上昇して各リンクアーム１５０′，１５０″をアーム操作姿勢からアーム非操作姿勢に戻す。この結果、出力部１１９が回動開始姿勢に設定されて連動部材８４が出力部１１９の回動力を受けていない状態においては、アーム係合突起１５２が連動係合レバー１４５から上方へ離間し、盤固定解除状態の遊技盤固定部材４６と連動部材８４との係合が解除され、遊技盤固定部材４６が盤固定解除状態から盤固定状態に変換することを許容する。したがって、連動部材８４およびリンクアーム（連動係合部材）１５０′，１５０″が遊技盤固定部材４６の盤固定状態への変換を阻止する不都合、ひいては遊技盤収納部３０内に収納された遊技盤６の固定作業を阻止する不都合をなくすことができる。
【００６７】
ところで、上記実施形態では、施錠ユニット３６に２つの遊技盤固定部材４６を備えたが、本発明はこれに限定されず、３つ以上の遊技盤固定部材４６を備えてもよい。また、遊技盤固定部材４６を複数備えた場合には、出力部１１９において、保持枠解除姿勢から最大回動角度に回動するまで複数段階の盤解除姿勢に変換するように設定し、各遊技盤固定部材４６に対応するリンクアーム（連動係合部材）１５０毎に第１溝部１５５ａの長さを異ならせ、出力部１１９を一の段階の盤解除姿勢に変換すると、連動部材８４の下方（上下一方向）への移動力を受けた一のリンクアーム（連動係合部材）１５０が、対応する遊技盤固定部材４６に係合して、この遊技盤固定部材４６を盤固定解除状態に変換するようにしてもよい。
【００６８】
さらに、上記実施形態では、連動部材８４が下方へ移動すると、保持枠係合部材９２を保持枠係合解除状態に変換したり、遊技盤固定部材４６を盤固定解除状態に変換したりするように構成し、連動部材８４が上方へ移動すると、機枠係合部材９１を機枠係合解除状態に変換するように構成したが、本発明はこれに限定されない。例えば、連動部材が上方へ移動すると、保持枠係合部材を保持枠係合解除状態に変換したり、遊技盤固定部材４６を盤固定解除状態に変換したりするように構成し、連動部材８４が下方へ移動すると、機枠係合部材９１を機枠係合解除状態に変換するように構成してもよい。
【００６９】
また、上記実施形態では、代表的な遊技機であるパチンコ遊技機を例にして説明したが、本発明はこれに限らず、機枠の前面側に開閉可能に取り付けられ、表面に遊技領域が形成される遊技盤を前面側から収納可能な遊技盤収納部が形成された前面枠と、該前面枠の前面側に開閉可能な状態、且つ遊技盤収納部を前方から被覆可能な状態で取り付けられ、遊技領域を前方から視認可能とする透明部材が保持された透明部材保持枠と、該透明部材保持枠を前面枠に対して閉じた閉成状態に維持可能な施錠ユニットと、遊技盤収納部内に収納された遊技盤を固定するための遊技盤固定部材と、を備えた遊技機であればどのような遊技機でもよい。例えば、封入球式パチンコ機、アレンジボール式遊技機、雀球式遊技機等の遊技機であってもよい。
【００７０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００７１】
１  パチンコ遊技機
２  機枠
３  前面枠
４  前面枠本体
６  遊技盤
９  透明部材保持枠
２８  機枠係合受部
３０  遊技盤収納部
３６  施錠ユニット
４３  背面壁部
４６  遊技盤固定部材
５０  遊技盤本体
５１  サイドケース
６４  固定部材通過部
６５  盤固定受部
７４  保持枠係合受部
８０  施錠ベース
８１  係合ユニット
８２  鍵部材
８３  解除操作部
８４  連動部材
８８  係合ベース
９１  機枠係合部材
９２  保持枠係合部材
９５  機枠係合爪
９８  機枠係合付勢部材
１０５  保持枠係合爪
１０９  保持枠係合付勢部材
１１３  シリンダーケース
１１４  回動部
１１５  鍵穴
１１９  出力部
１２１  第１出力突起
１２２  第２出力突起
１２３  上側操作受部
１２４  下側操作受部
１２７  機枠係合連結開口
１２８  保持枠係合連結開口
１３０  連動係合受部（連動係合部材）
１３１  連動操作部
１３６  装着部
１４２  盤固定係合部
１４３  盤固定押圧部
１４５  連動係合レバー
１４６  固定露出開口
１５０  リンクアーム（連動係合部材）
１５２  アーム係合突起
【図１】
2011234852.tif 000003
【図２】
2011234852.tif 000004
【図３】
2011234852.tif 000005
【図４】
2011234852.tif 000006
【図５】
2011234852.tif 000007
【図６】
2011234852.tif 000008
【図７】
2011234852.tif 000009
【図８】
2011234852.tif 000010
【図９】
2011234852.tif 000011
【図１０】
2011234852.tif 000012
【図１１】
2011234852.tif 000013
【図１２】
2011234852.tif 000014
【図１３】
2011234852.tif 000015
【図１４】
2011234852.tif 000016
【図１５】
2011234852.tif 000017
【図１６】
2011234852.tif 000018
【図１７】
2011234852.tif 000019
【図１８】
2011234852.tif 000020
【図１９】
2011234852.tif 000021
【図２０】
2011234852.tif 000022
【図２１】
2011234852.tif 000023
【図２２】
2011234852.tif 000024
【図２３】
2011234852.tif 000025
【図２４】
2011234852.tif 000026
【図２５】
2011234852.tif 000027
【図２６】
2011234852.tif 000028
【図２７】
2011234852.tif 000029
【図２８】
2011234852.tif 000030
【図２９】
2011234852.tif 000031
【図３０】
2011234852.tif 000032
【図３１】
2011234852.tif 000033